(57)【要約】      （修正有）【課題】本体を小型化し、簡単な操作によって複数の穴をあけることが可能なコンパクト型穴あけパンチを提供すること。【解決手段】発明の回転穴あけパンチは、ボディ１に、回転可能なタイヤ２，４と、タイヤの回転力を利用して、回転して用紙に穴をあける複数の刃を放射状に有する回転ロット刃５と、用紙を上下から挟んで紙を送り出す一対の紙送りローラ３，１１を有する。ボディ１の溝部９に用紙をセットし、一対の紙送りローラ３，１１に用紙を挟みながら、タイヤ２，４を机上で転がしてロット刃５を回転させることで用紙に等間隔で連続なパンチ穴をあける。【選択図】図２
2020138307.tif 000002
【特許請求の範囲】
【請求項１】
回転可能な主タイヤが軸支されたボディと、
前記ボディに形成された用紙通過溝と、
複数のロット刃を外周に有し、回転しながら前記用紙通過溝に保持された用紙に穴をあける回転ロット刃と、
前記タイヤの回転力を回転ロット刃に伝達する伝達機構と
を備えることを特徴とするコンパクト型穴あけパンチ。
【請求項２】
前記伝達機構は、前記タイヤを軸支する回転軸であり、当該回転軸に同軸に前記回転ロット刃が取り付けられていることを特徴とする請求項１に記載のコンパクト型穴あけパンチ。
【請求項３】
前記伝達機構からの回転駆動力により回転し、用紙を挟み送る上下対の紙送りローラを具備することを特徴とする請求項１または２に記載のコンパクト型穴あけパンチ。
【請求項４】
前記回転軸に同軸に前記上下対の紙送りローラの一方が取り付けられていることを特徴とする請求項３に記載のコンパクト型穴あけパンチ。
【請求項５】
前記ボディの前記移動を補助する副タイヤを具備することを特徴とする請求項１乃至４の何れか一項に記載のコンパクト型穴あけパンチ。
【請求項６】
前記用紙通過溝の下面に設置される屑落ち穴と、
前記屑落ち穴の下部に設けられた屑溜めスペース及び／若しくは屑溜め容器と
を具備することを特徴とする請求項１乃至５の何れか一項に記載のコンパクト型穴あけパンチ。
【発明の詳細な説明】
【技術分野】
【０００１】  本発明は特に、ルーズリーフに用いることができる穴あけパンチに関する。
【背景技術】
【０００２】  ルーズリーフとは、専用のバインダーに綴じることが出来るよう穴のあいたノート用紙である。通常ルーズリーフを利用する人は書き終わった用紙をバインダーに綴じることで保存する。しかし、もともと穴のあいていない紙をルーズリーフ用紙と同様にバインダーに綴じるときにおいては何らかの工夫が必要である。【０００３】  その一つの手段として、道具によって紙に新しく穴をあけ綴じられるようにするものがある。これを実現するためにルーズリーフ専用の穴あけパンチが発売されているが、操作性が悪かったりサイズが大きかったりするために使用できる状況が制限されていた。【０００４】  たとえば、特許文献１や特許文献２では、特許文献１に記載の治具に用紙をはさみ、この治具にある複数の凹部に穴あけパンチである特許文献２記載の凸部を合わせることで正確にルーズリーフ用バインダーにあった穴をあけることができる。しかしこれらは幅の長い精密な固定用の装置となってしまう。【０００５】  また、特許文献３では、治具に用紙をセットし、スライダを、スライドレール上をスライドさせることで連続ロット刃を紙上に押し当てて一気に穴あけをすることができる。【０００６】  これらのパンチは、穴のあいていない用紙にルーズリーフ用の穴をあけることを可能にするが、共通する点として用紙を抑える台やレ−ルが必要なため必然的にサイズが大きくなってしまい持ち運びづらいという問題がある。【０００７】  次に回転運動によりパンチが複数の穴をあける発明を調査すると、特許文献４と特許文献５が見出された。特許文献４では、複数の突起を持つローラと孔を有するローラを回転させ、間に挟まった袋に複数の穴をあけることができる発明である。特許文献５では、外側に伸びる刃体が取り付けられたローラを備え搬送されるウェブ状をなす物品に穴をあける装置である。【０００８】  しかし、これらの特許文献は機械的な動力を必要とし、一般的な家庭や事務所などで取り扱うには費用が見合わないなどの難点がある。
【先行技術文献】
【特許文献】
【０００９】
【特許文献１】特開平１０−３２９０９８号公報
【特許文献２】特開平１１−０４８１９９号公報
【特許文献３】特開平７−６０６９５号公報
【特許文献４】特開２００２−３０７３８５号公報
【特許文献５】特開２０００−１０８０９５号公報
【００１０】
【発明の概要】
【発明が解決しようとする課題】
【００１１】  これまでの技術もしくは技術的思想では、複数の穴をあける動作に際し、用紙を抑える台やレ−ルが必要なため、必然的にサイズが大きくなってしまい、持ち運びがしづらいという問題がある。また、回転運動を利用したものに関しては動力を外部から調達する必要があり、一般的な家庭や事務所などには装置や動力の費用が見合わないなどの難点があった。【００１２】  本発明はこうした従来技術上の問題点を解決することを企図したものであり、本体をよりコンパクトにし、また、簡単な操作によって複数の穴をあけることができるコンパクト型穴あけパンチを提供することをその課題とする。
【課題を解決するための手段】
【００１３】  かかる課題を解決するため、本発明に係るコンパクト型穴あけパンチは、回転可能な主タイヤが軸支されたボディと、
前記ボディに形成された用紙通過溝と、
複数のロット刃を外周に有し、回転しながら前記用紙通過溝に保持された被穴あけ体に穴をあける回転ロット刃と、
前記タイヤの回転力を回転ロット刃に伝達する伝達機構と
を備えることを特徴とする。【００１４】  前記伝達機構は、前記タイヤを軸支する回転軸であり、当該回転軸に同軸に前記回転ロット刃が取り付けられている。【００１５】  また、本発明に係るコンパクト型穴あけパンチは、前記タイヤの回転力を回転ロット刃に伝達する伝達機構の回転駆動力により回転し、用紙を挟み送る上下対の紙送りローラを具備する形態をとることもできる。上下対紙送りローラの一方は前記回転軸と同軸に取り付けられている。【００１６】  つまり、本発明に係るコンパクト型穴あけパンチは、ボディの溝部に用紙又は被穴あけ体（パンチにより穴あけをされる被穴あけ体は紙に限定するものではない。以降「用紙」と称する。）をセットし、一対の紙押さえローラに用紙を挟みながら、タイヤを机上で転がしてロット刃を回転させることで用紙に等間隔で連続な穴をあけることができる。従来のパンチのようなスライドバーや台が不要なコンパクトな構造であり、簡単な操作でパンチ穴をあけることができる。【００１７】  すなわち、用紙の一辺に沿ってボディを移動させるだけで穴をあけることが可能である。したがって、治具にあわせて複数回に分けて穴をあける工程は必要なくなり、また、治具を必要としないためサイズをコンパクトにすることが可能である。【００１８】  この機構は、ユーザーの手動によるボディの直線運動をタイヤの回転運動に変換し、それを伝達機構によりロット刃に伝達することにより、ロット刃を回転させ、これにより複数の穴をあけることが容易に行うことができる。【００１９】  また本発明に係るコンパクト型穴あけパンチは、前記ボディの前記移動を補助するタイヤ（小）を具備することもできる。【００２０】  補助タイヤ（小）（以降「副タイヤ」とも表現することがある。）を具備することによって、前記ボディの移動がスムーズとなり安定した動きを確保することができる。本発明は、補助タイヤ（小）の数を限定するものではない。同様に、紙抑えローラの数も限定するものではない。【００２１】  本発明に係るコンパクト型穴あけパンチは、前記用紙通過溝の下面に設置される屑落ち穴と、前記屑落ち穴の下部に敷設される屑溜めスペース及び／若しくは屑溜め容器とを具備する形態を有することもできる。【００２２】  この発明によれば、穴あけされた屑は下部の屑溜めスペース及び／若しくは屑溜め容器に自然落下し、溜められた後で処理される。屑溜め容器には、例えば排出用の蓋があれば便利さが向上する。【００２３】  本発明に係るコンパクト型穴あけパンチは、上記の記載の他に従来技術を利用付加した様々な形態が考えられるが、これらは全て本発明の技術思想に包含される。よって本発明に付加されたあらゆる均等な技術をも本技術思想に含むものである。
【発明の効果】
【００２４】  本発明は、回転パンチを机などの面上で移動させたことによる直線運動を回転パンチに取り付けられたタイヤとタイヤの回転力を伝達する機構によって回転ロット刃と紙抑えローラを回転させる力に変換する。放射状に広がった複数のロット刃と紙抑えローラの回転によって用紙をスムーズに送りながら等間隔かつ連続な穴をあけることができる。従って、従来の技術のように、パンチをスライド移動させるための長尺のスライドレールや台は不要となり、コンパクトな穴あけパンチを実現することができる。
【図面の簡単な説明】
【００２５】
【図１】本発明の一実施形態に係るコンパクト型穴あけパンチの側面から見た本体の概念の断面図である。
【図２】本発明の一実施形態に係るコンパクト型穴あけパンチの進行方向を前方とした際に本体を背面から見たときの概念の断面図である。
【図３】本発明の一実施形態に係るコンパクト型穴あけパンチの回転ロット刃のうちのひとつのロット刃を斜め上から見たときの概念図である。
【図４】本発明の一実施形態に係るコンパクト型穴あけパンチの本体を底面側から見たときの概念図である。
【図５】本発明の一実施形態に係るコンパクト型穴あけパンチの外観と、用紙に穴をあける様子を示すイメージ図である。
【発明を実施するための形態】
【００２６】  以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２７】  本発明の一実施形態に係るコンパクト型穴あけパンチ（以下、単に「回転パンチ」という。）は、ユーザーが回転パンチを用紙の一辺に沿って移動させることで、タイヤを回転させ、その回転力を回転ロット刃に伝達して回転ロット刃の回転によって用紙に複数の穴をあけるものである。発明の要素として、床上を回転可能なタイヤと、用紙に穴をあけるロット刃、タイヤの回転力をロット刃に伝達する伝達機構、用紙を保持する用紙通過溝、用紙を上下から挟んで紙を送り出す一対の紙抑えローラを主に有する。さらに、穴をあけたことによって生じた屑を本体の所定の位置に溜め、使用者が望んだタイミングで捨てられる蓋を備える。以下、発明の回転パンチについて図面を用いて具体的に説明する。
【００２８】  回転パンチは、図５に示すような外観のボディ１を有しており、用紙が通過する用紙通過溝９がボディ１を横切るように形成されている。回転パンチは床面上を後述するタイヤによって走行しながら用紙通過溝９を通過する用紙紙片に穴をあける。紙片に沿った側を回転穴あけパンチの進行方向（図５の矢印参照）とする。ボディは、用紙通過溝９を通過する用紙紙片の位置や、後述する屑溜めスペースに溜まった紙片量が透視できるように透明または半透明のプラスチック材料から形成されている。
【００２９】  図１、図２に示すようにボディ１の中央には、その進行方向と直交する方向（以下、直交方向という）に回転軸６が回転可能に取り付けられている。図２に示すように回転軸６には、軸方向の中央に回転ロット刃５が、その両側にタイヤ（大）（主タイヤ）２と上部紙送りローラ３が、それぞれ、同軸に取り付けられている。ボディ１の底側でタイヤ（大）２と反対側には進行走行に沿って二つのタイヤ（小）（副タイヤ）４が回転軸７により回転可能に取り付けられている。これらのタイヤ（小）４と反対側のタイヤ（大）２の回転によって、回転パンチは、安定して用紙の一辺に沿って直線的に進行することができる。また、タイヤ（大）２の回転によって回転軸６が回転するために、その回転軸６に取り付けられた回転ロット刃５と上部紙送りローラ３も回転することができる。すなわち、タイヤ（大）２の回転力が回転軸６を介して回転ロット刃５と上部紙送りローラ３が回転駆動するための駆動力として働く。それゆえ、この具体例では、回転軸６は、タイヤ（大）２の回転力を回転ロット刃５と上部紙送りローラ３に伝達する伝達機構である。伝達機構としては後述するように任意の機構を採用することができる。
【００３０】  タイヤ（大）２は、ゴムなどの表面が滑りにくい素材でできていてもよく、その一部がボディ１の底面から露出する程度の直径を有する。
【００３１】  回転ロット刃５には、放射状に例えば８つのロット刃１２が取り付けてあり、それぞれのロット刃の太さや隣接するロット刃の間隔は、ルーズリーフバインダーの規格仕様に合わせるように設定されている。各ロット刃は、用紙に容易に穴をあけられるように金属などの硬い素材でできている。また図３のようにそれぞれのロット刃１２は回転パンチの進行方向と垂直な方向に延びるくぼみが作られており、穴をあけると同時に屑が落下するようになっている。
【００３２】  回転ロット刃５が回転することによって用紙が用紙通過溝９を通過するのに合わせてロット刃１２を移動することが出来る。刃が移動するのに合わせ次の刃が手前から回転してくるため用紙には連続で等間隔の穴をあけることが出来る。用紙に穴があいた後に生じた屑は屑溜めスペース１０に溜まる。
【００３３】  上部紙送りローラ３の下方には、上部紙送りローラ３と向かい合うように、回転軸７に支持された下部紙送りローラ１１が取り付けられている。下部紙送りローラ１１は、上部紙送りローラ３とともに用紙を上下から挟むように設置されている。上部紙送りローラ３は、上述したように回転軸６の回転によって同じ向きに回転する。上部紙送りローラ３と下部紙送りローラ１１は、ともに用紙に接する面はゴムなどの滑りにくい素材でできていてもよい。用紙などの被穴あけ体がそれらのローラ３，及びローラ１１の間に挟まれて通過するようになっている。下部紙送りローラ１１は、用紙の通過に合わせて回転軸７を中心に回転して用紙を固定しながら送りだす役割を果たす。この具体例では、下部紙送りローラ１１は従動ローラであるが、タイヤ（小）やタイヤ（大）の回転駆動力を歯車などを介して伝達されるように構成して駆動ローラとしてもよい。
【００３４】  用紙に穴をあけたことによって生じた屑（紙片）は、屑落ち穴１３から落下し屑溜めスペースにたまるようになっている。たまった屑は使用者が屑を捨てたいときに捨てられるようにボディ１の底面に屑捨て蓋８が取り付けられていてもよい。ボディ１の底面の中心が窪んでいるため、蓋に指をかけて簡単に取り外すことができる。蓋は完全にボディから分離するようになっているが、一部が固定され扉のように回転することで開けられるようになっていてもよい。後者の方は小さい蓋をなくさずに穴あけ作業をすることができるという利点もある。
【００３５】  次に、本発明の一実施形態に係るコンパクト型穴あけパンチの変形形態について説明する。例えば、用紙を固定する機能をより強化するために紙抑えローラを複数にすることも可能である。この場合、隣り合う紙抑えの間にギアを設けることで全ての紙抑えを等速度で回転することが出来る。上記具体例では、タイヤ（大）の回転軸７に回転ロット刃５及び上部紙送りローラ３を同軸状に取り付けたが、それに限らず、タイヤの回転力を駆動力として回転ロット刃５及び上部紙送りローラ３に回転力を伝達できる任意の機構を採用しうる。例えば、回転軸６とは別に、回転ロット刃５及び上部紙送りローラ３の回転軸をそれぞれあるいは共通に設け、それらの回転軸に取り付けたギア（歯車）やベルトを介して、タイヤ（大）の回転力を回転ロット刃５及び上部紙送りローラ３に伝達してもよい。この場合、回転軸６のみならずそれらの回転軸やギアなどにより動力伝達機構が構成される。また、回転ロット刃５で用紙を切断するために、ある程度のトルクが必要になるので、タイヤ（大）のサイズ（回転半径）を小さくして回転数を高くしつつギアを介して回転ロット刃５に駆動力を与えることにより使いやすさを向上させることもできる。そのような変速機構を設けて、穴を開ける材料に応じてトルクを与える回転力を調整できるようにしてもよい。
【００３６】  また例えば、ロット刃の部分を円盤状の刃を持つ回転刃に交換できるようにすることでタイヤの回転力を生かした回転カッターとしての機能を得ることもできる。この場合、コンパクト型穴あけパンチに付属品として回転刃が付いたコンパクト型穴あけパンチセットとしてよい。また、回転パンチのボディは、図５に示した蒲鉾型のものに限らず、任意の形状にしてよい。ユーザーが指でボディを掴みやすくし、スライドし易くするために、ボディ側面や上面に指がフィットするような窪みを設けることもできる。
【産業上の利用可能性】
【００３７】  上述したように、本願に係る発明によれば、本体を小型化し持ち運びの簡単なコンパクト型穴あけパンチが実現される。したがって、本発明は、用紙など被穴あけ体に、いかなる場面においても穴をあけ、ルーズリーフ用バインダーに綴じることが可能になり、書類の整理において根本的な解決策が与えられることとなる。【００３８】  さらに、たとえば文具において、様々なデザインを施すことで一般的な家庭にも受け入れやすい、見た目に美しいバインダーを提供することができる。【００３９】  また、本発明は、回転ロット刃の付属品として回転カッターのようなパーツを付属させることで穴開けだけでなく切断などのあらゆる用途に対しても、利用・適用可能である。
【符号の説明】
【００４０】  １  ボディ
２  タイヤ（大）
３  上部紙送りローラ
４  タイヤ（小）
５  回転ロット刃
６  回転軸
７  回転軸
８  屑捨て蓋
９  用紙通過溝
１０  屑溜めスペース
１１  下部紙送りローラ
１２  ロット刃
１３  屑落ち穴
１４  用紙
１５  回転パンチ
【図１】
2020138307.tif 000003
【図２】
2020138307.tif 000004
【図３】
2020138307.tif 000005
【図４】
2020138307.tif 000006
【図５】
2020138307.tif 000007
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
回転可能な主タイヤが軸支されたボディと、
前記ボディに形成された用紙通過溝と、
複数のロット刃を外周に有し、回転しながら前記用紙通過溝に保持された用紙に穴をあける回転ロット刃と、
前記主タイヤの回転力を回転ロット刃に伝達する伝達機構と
を備えることを特徴とするコンパクト型穴あけパンチ。
【請求項２】
前記伝達機構は、前記主タイヤを軸支する回転軸であり、当該回転軸に同軸に前記回転ロット刃が取り付けられていることを特徴とする請求項１に記載のコンパクト型穴あけパンチ。
【請求項３】
前記伝達機構からの回転駆動力により回転し、用紙を挟み送る上下対の紙送りローラを具備することを特徴とする請求項１または２に記載のコンパクト型穴あけパンチ。
【請求項４】
前記伝達機構は前記主タイヤを軸支する回転軸であり、前記回転軸に同軸に前記上下対の紙送りローラの一方が取り付けられていることを特徴とする請求項３に記載のコンパクト型穴あけパンチ。
【請求項５】
前記ボディの移動を補助する副タイヤを具備することを特徴とする請求項１乃至４の何れか一項に記載のコンパクト型穴あけパンチ。
【請求項６】
前記用紙通過溝の下面に設置される屑落ち穴と、
前記屑落ち穴の下部に設けられた屑溜めスペース及び／若しくは屑溜め容器と
を具備することを特徴とする請求項１乃至５の何れか一項に記載のコンパクト型穴あけパンチ。
【手続補正２】
【補正対象書類名】明細書
【補正対象項目名】００１３
【補正方法】変更
【補正の内容】
【００１３】  かかる課題を解決するため、本発明に係るコンパクト型穴あけパンチは、回転可能な主タイヤが軸支されたボディと、
前記ボディに形成された用紙通過溝と、
複数のロット刃を外周に有し、回転しながら前記用紙通過溝に保持された被穴あけ体に穴をあける回転ロット刃と、
前記主タイヤの回転力を回転ロット刃に伝達する伝達機構と
を備えることを特徴とする。